(57)【要約】【課題】印字品質を低下させずに、スループットを向上させることができる画像形成装置を提供する。【解決手段】画像形成装置は、感光ドラムと、転写ベルトを有する転写部と、印刷制御部と、転写部の温度である装置内部温度（Ｔｍｉ）を検出する内部温度検出部と、外気温度（Ｔｍｅ）を検出する外気温度検出部と、時間（ｔｅ）を計測する時間計測部とを備え、印刷制御部は、装置内部温度（Ｔｍｉ）が予め決められた閾値（Ｔｙ）以上になった場合に、感光ドラム及び転写部の駆動を停止させ、時間計測部によって計測された経過時間（ｔｅ）が設定時間（ｔｗ）に達したときに、空回し動作を開始させ（Ｓ７、Ｓ８、Ｓ９、Ｓ１０）、装置内部温度（Ｔｍｉ）と外気温度（Ｔｍｅ）とに基づいて設定時間（ｔｗ）を決定する（Ｓ２〜Ｓ６）。【選択図】図３
2020071334.tif 000002
【特許請求の範囲】
【請求項１】
第１のトナー像を担持する第１の像担持体と、
前記第１の像担持体と接触する転写ベルトを有し、記録媒体に前記第１のトナー像を転写する転写部と、
前記第１の像担持体及び前記転写部の駆動を制御する制御部と、
前記転写部の温度を検出する第１の検出部と、
外気温度に対応する温度を検出する第２の検出部と、
時間を計測する計測部と、
を備え、
前記制御部は、
前記第１の検出部によって検出された温度が予め決められた閾値以上になった場合に、前記第１の像担持体及び前記転写部の駆動を停止させ、
前記計測部によって計測された経過時間が、設定時間に達したときに、前記第１のトナー像を形成せずに前記第１の像担持体及び前記転写ベルトが回転する空回し動作を開始させ、
前記第１の検出部によって検出された温度と前記第２の検出部によって検出された温度とに基づいて前記設定時間を決定する
ことを特徴とする画像形成装置。
【請求項２】
前記制御部は、前記第１の検出部によって検出された温度と前記第２の検出部によって検出された温度との差に基づいて前記設定時間を決定することを特徴とする請求項１に記載の画像形成装置。
【請求項３】
前記制御部は、前記第１の検出部によって検出された温度から前記第２の検出部によって検出された温度を引いて得られた温度差が大きいほど、前記設定時間を短くすることを特徴とする請求項１に記載の画像形成装置。
【請求項４】
前記第１の検出部によって検出された温度と前記第２の検出部によって検出された温度と前記設定時間との関係を示す設定時間情報を予め記憶する記憶部をさらに備え、
前記制御部は、前記設定時間情報を用いて、前記第１の検出部によって検出された温度と前記第２の検出部によって検出された温度とに基づいて前記設定時間を決定する
ことを特徴とする請求項１に記載の画像形成装置。
【請求項５】
第２のトナー像を担持する第２の像担持体をさらに備え、
前記第２の像担持体は、前記記録媒体の搬送方向における前記第１の像担持体の上流側において前記転写ベルトに接触しており、
前記転写部は、前記記録媒体に前記第２のトナー像を転写し、
前記制御部は、前記第１の像担持体の周方向の全域及び前記第２の像担持体の周方向の全域が前記転写ベルトと少なくとも１回は接触するように、前記空回し動作を制御する
ことを特徴とする請求項１から４のいずれか１項に記載の画像形成装置。
【請求項６】
第２のトナー像を担持する第２の像担持体をさらに備え、
前記第２の像担持体は、前記記録媒体の搬送方向における前記第１の像担持体の上流側において前記転写ベルトに接触しており、
前記転写部は、前記記録媒体に前記第２のトナー像を転写し、
前記制御部は、前記転写ベルトの周方向の全域が、前記第１の像担持体及び前記第２の像担持体と少なくとも１回は接触するように、前記空回し動作を制御する
ことを特徴とする請求項１から４のいずれか１項に記載の画像形成装置。
【請求項７】
前記記録媒体に前記第１のトナー像及び前記第２のトナー像を定着させる定着器をさらに備え、
前記定着器は、前記記録媒体の搬送方向における前記第１の像担持体の下流側に配置され、
前記第１の検出部と前記第１の像担持体との距離は、前記第１の検出部と前記第２の像担持体との距離よりも短い
ことを特徴とする請求項５又は６に記載の画像形成装置。
【請求項８】
外気と、前記第１の像担持体、前記第２の像担持体、及び前記転写部を含む装置内部と、を区画する外壁部をさらに備え、
前記外壁部と前記第２の像担持体との距離は、前記外壁部と前記第１の像担持体との距離よりも短い
ことを特徴とする請求項５から７のいずれか１項に記載の画像形成装置。
【発明の詳細な説明】
【技術分野】
【０００１】
本発明は、画像形成装置に関する。
【背景技術】
【０００２】
電子写真方式を用いる画像形成装置において、装置内の温度が過度に上昇した場合、現像器内に収容されている現像剤としてのトナーが変質（すなわち、劣化）することが知られている。従来の画像形成装置においては、装置内の過度の温度上昇を防ぐために、装置内の検出温度に基づいて印刷を停止させる制御が行われている。つまり、従来の画像形成装置は、装置内の温度が所定の閾値以上になった場合に印刷動作を停止して印刷停止状態になり、この印刷停止状態のときに装置内の温度が閾値未満に低下すると、印刷停止状態を解除して印刷許可状態になる。
【０００３】
また、装置内の温度を検出する内部温度センサが転写ベルトに接触するように配置された画像形成装置がある（例えば、特許文献１参照）。このような装置においては、転写ベルトの温度を検出することによって、転写ベルトに接触している感光ドラムの温度及び感光ドラムに接触している現像ローラを備えた現像器の温度を検出している。
【先行技術文献】
【特許文献】
【０００４】
【特許文献１】特開２０１８−７２３８２号公報
【発明の概要】
【発明が解決しようとする課題】
【０００５】
しかしながら、転写ベルトに接触する内部温度センサによって装置内の温度を検出する装置では、転写ベルトの温度低下が現像器の温度低下よりも速い場合に、現像器の実際の温度が閾値以上であるにもかかわらず、装置内の温度が閾値未満であると判断されることがある。したがって、現像器の実際の温度が閾値以上であるにもかかわらず印刷停止状態が解除され、その結果、印字品質の低い印刷物が提供されるおそれがあるという問題がある。
【０００６】
また、上記内部温度センサによって装置内の温度を検出する画像形成装置では、転写ベルトの温度低下が現像器の温度低下よりも遅い場合に、現像器の実際の温度が閾値未満であるにもかかわらず、装置内の温度が閾値以上であると判断されることがある。この場合には、印刷停止状態が解除されるべき状態であるにもかかわらず印刷停止状態が解除されず、その結果、印刷物の提供が遅れる（すなわち、スループットが低下する）という問題がある。
【０００７】
本発明は、上記課題を解決するためになされたものであり、印字品質を低下させずに、スループットを向上させることができる画像形成装置を提供することを目的とする。
【課題を解決するための手段】
【０００８】
本発明の一態様に係る画像形成装置は、第１のトナー像を担持する第１の像担持体と、前記第１の像担持体と接触する転写ベルトを有し、記録媒体に前記第１のトナー像を転写する転写部と、前記第１の像担持体及び前記転写部の駆動を制御する制御部と、前記転写部の温度を検出する第１の検出部と、外気温度に対応する温度を検出する第２の検出部と、時間を計測する計測部と、を備え、前記制御部は、前記第１の検出部によって検出された温度が予め決められた閾値以上になった場合に、前記第１の像担持体及び前記転写部の駆動を停止させ、前記計測部によって計測された経過時間が、設定時間に達したときに、前記第１のトナー像を形成せずに前記第１の像担持体及び前記転写ベルトが回転する空回し動作を開始させ、前記第１の検出部によって検出された温度と前記第２の検出部によって検出された温度とに基づいて前記設定時間を決定することを特徴とする。
【発明の効果】
【０００９】
本発明に係る画像形成装置によれば、印字品質を低下させずに、スループットを向上させることができる。
【図面の簡単な説明】
【００１０】
【図１】本発明の第１の実施形態に係る画像形成装置の構成を概略的に示す縦断面図である。
【図２】第１の実施形態に係る画像形成装置の制御系の構成を概略的に示すブロック図である。
【図３】第１の実施形態に係る画像形成装置の動作を示すフローチャートである。
【図４】（ａ）は、従来の画像形成装置（比較例）における印刷停止後の装置内の温度分布の変化を示す説明図であり、（ｂ）及び（ｃ）は、第１の実施形態に係る画像形成装置における印刷停止後の装置内の温度分布の変化を示す説明図である。
【図５】従来の画像形成装置（比較例）及び第１の実施形態に係る画像形成装置における印刷停止後の装置内の温度の変化を示すグラフである。
【図６】本発明の第２の実施形態に係る画像形成装置の印刷停止後の動作を示すフローチャートである。
【図７】第２の実施形態に係る画像形成装置が使用するテーブルの例を示す図である。
【発明を実施するための形態】
【００１１】
以下に、本発明の実施の形態に係る画像形成装置を、図面を参照しながら説明する。以下の実施の形態は、例にすぎず、本発明の範囲内で種々の変更が可能である。
【００１２】
《１》第１の実施形態
《１−１》第１の実施形態の構成
図１は、第１の実施形態に係る画像形成装置１００の構成を概略的に示す縦断面図である。画像形成装置１００は、例えば、電子写真プロセスを用いるカラープリンタである。
【００１３】
図１に示されるように、画像形成装置１００は、主要な構成として、電子写真プロセスにより用紙などの記録媒体Ｐ上にトナー像（すなわち、現像剤像）を形成する画像形成部（すなわち、プロセスユニット）１０Ｋ，１０Ｃ，１０Ｍ，１０Ｙと、画像形成部１０Ｋ，１０Ｃ，１０Ｍ，１０Ｙに記録媒体Ｐを供給する媒体供給部２０と、記録媒体Ｐを搬送するとともに記録媒体Ｐにトナー像を転写する転写部３０と、記録媒体Ｐ上に転写されたトナー像を定着させる定着器４０と、定着器４０を通過した記録媒体Ｐを画像形成装置１００の筐体の外部に排出する媒体排出部としてのガイド２６及び排紙ローラ対２７と、筐体５０とを備えている。画像形成部１０Ｋ，１０Ｃ，１０Ｍ，１０Ｙの各々は、画像形成部１０とも表記される。画像形成装置１００が有する画像形成部の数は、３以下又は５以上であってもよい。また、画像形成装置１００は、１つの画像形成部を有するモノクロプリンタであってもよい。
【００１４】
また、図１に示されるように、画像形成装置１００は、転写部３０の温度を検出する第１の検出部としての内部温度検出部８１と、外気温度に対応する温度を検出する第２の検出部としての外気温度検出部８２とを備えている。図１では、内部温度検出部８１は、転写ベルト３３に接触している。内部温度検出部８１は転写ベルト３３の温度を測ることによって、間接的に感光ドラム１３及び現像部１５（現像ローラ１６を含む）の温度を測定する。ただし、内部温度検出部８１は、転写ベルト３３と間隔を開けて対向するように配置されてもよい。外気温度検出部８２は、画像形成装置１００の筐体５０の内部において、筐体５０の内面の近傍に配置されている。ただし、外気温度検出部８２は、筐体５０の外側に配置されてもよい。内部温度検出部８１によって検出される温度は、筐体５０の内部（すなわち、装置内）の温度であり、「装置内部温度Ｔｍｉ」とも表記される。外気温度検出部８２によって検出される温度は、筐体５０の外側の外気の温度に対応する温度であり、単に「外気温度Ｔｍｅ」とも表記される。
【００１５】
図１に示されるように、媒体供給部２０は、媒体トレイ２１と、媒体トレイ２１内に積載された複数の記録媒体から記録媒体Ｐを１枚ずつ繰り出す給紙ローラ２２と、媒体トレイ２１から繰り出された記録媒体Ｐを搬送するローラ対２３と、記録媒体Ｐを案内するガイド２４と、記録媒体Ｐのスキューを修正するローラ対２５とを備えている。ローラ対２５は、レジストローラとピンチローラとから構成される。
【００１６】
画像形成部１０Ｋ，１０Ｃ，１０Ｍ，１０Ｙは、記録媒体Ｐ上にブラック（Ｋ）のトナー像、イエロー（Ｙ）のトナー像、マゼンタ（Ｍ）のトナー像、及びシアン（Ｃ）のトナー像をそれぞれ形成する。画像形成部１０Ｋ，１０Ｃ，１０Ｍ，１０Ｙは、媒体搬送路に沿って記録媒体Ｐの搬送方向の上流側から下流側に（すなわち、図１における右から左に）並んで配置されている。画像形成部１０Ｋ，１０Ｃ，１０Ｍ，１０Ｙの各々は、着脱自在なユニットであってもよい。画像形成部１０Ｋ，１０Ｃ，１０Ｍ，１０Ｙは、収容するトナーの色が互いに異なる点以外に関しては、基本的に互いに同じ構造を有する。
【００１７】
画像形成部１０Ｋ，１０Ｃ，１０Ｍ，１０Ｙは、各色用の光プリントヘッドである露光ヘッド１１Ｋ，１１Ｃ，１１Ｍ，１１Ｙをそれぞれ有する。露光ヘッド１１Ｋ，１１Ｃ，１１Ｍ，１１Ｙは、複数の発光素子が配列された発光素子アレイを含む。露光ヘッド１１Ｋ，１１Ｃ，１１Ｍ，１１Ｙの各々は、露光ヘッド１１とも表記される。発光素子は、例えば、発光サイリスタ又は発光ダイオードである。
【００１８】
画像形成部１０Ｋ，１０Ｃ，１０Ｍ，１０Ｙは、回転可能に支持された像担持体としての感光ドラム１３Ｋ，１３Ｃ，１３Ｍ，１３Ｙと、感光ドラム１３Ｋ，１３Ｃ，１３Ｍ，１３Ｙの表面を一様に帯電させる帯電部材としての帯電ローラ１４Ｋ，１４Ｃ，１４Ｍ，１４Ｙと、露光ヘッド１１Ｋ，１１Ｃ，１１Ｍ，１１Ｙによる露光によって感光ドラム１３Ｋ，１３Ｃ，１３Ｍ，１３Ｙの表面に静電潜像を形成した後に、感光ドラム１３Ｋ，１３Ｃ，１３Ｍ，１３Ｙの表面にトナーを供給して静電潜像に対応するトナー像を形成する現像部１５Ｋ，１５Ｃ，１５Ｍ，１５Ｙとを備えている。感光ドラム１３Ｋ，１３Ｃ，１３Ｍ，１３Ｙの各々は、感光ドラム１３とも表記される。帯電ローラ１４Ｋ，１４Ｃ，１４Ｍ，１４Ｙの各々は、帯電ローラ１４とも表記される。現像部１５Ｋ，１５Ｃ，１５Ｍ，１５Ｙの各々は、現像部１５とも表記される。
【００１９】
現像部１５Ｋ，１５Ｃ，１５Ｍ，１５Ｙは、トナーを収容する現像剤収容スペースを形成するトナー収容部と、感光ドラム１３Ｋ，１３Ｃ，１３Ｍ，１３Ｙの表面にトナーを供給する現像剤担持体としての現像ローラ１６Ｋ，１６Ｃ，１６Ｍ，１６Ｙと、トナー収容部内に収容されたトナーを現像ローラ１６Ｋ，１６Ｃ，１６Ｍ，１６Ｙに供給する供給ローラ１７Ｋ，１７Ｃ，１７Ｍ，１７Ｙと、現像ローラ１６Ｋ，１６Ｃ，１６Ｍ，１６Ｙの表面のトナー層の厚さを規制するトナー規制部材としての現像ブレード１８Ｋ，１８Ｃ，１８Ｍ，１８Ｙとを備えている。現像ローラ１６Ｋ，１６Ｃ，１６Ｍ，１６Ｙの各々は、現像ローラ１６とも表記される。供給ローラ１７Ｋ，１７Ｃ，１７Ｍ，１７Ｙの各々は、供給ローラ１７とも表記される。現像ブレード１８Ｋ，１８Ｃ，１８Ｍ，１８Ｙの各々は、現像ブレード１８とも表記される。
【００２０】
露光ヘッド１１Ｋ，１１Ｃ，１１Ｍ，１１Ｙによる光の照射は、一様帯電した感光ドラム１３Ｋ，１３Ｃ，１３Ｍ，１３Ｙの表面に、印刷データに基づいて行われる。
【００２１】
図１に示されるように、転写部３０は、記録媒体Ｐを静電吸着して搬送する転写ベルト３３と、駆動部により回転されて転写ベルト３３を駆動する駆動ローラ３１と、駆動ローラ３１と対を成して転写ベルト３３を張架するテンションローラ（従動ローラ）３２と、画像形成部１０Ｋ，１０Ｃ，１０Ｍ，１０Ｙに対向するように配置された転写ローラ３５Ｋ，３５Ｃ，３５Ｍ，３５Ｙとを備えている。転写ローラ３５Ｋ，３５Ｃ，３５Ｍ，３５Ｙの各々は、転写ローラ３５とも表記される。
【００２２】
図１に示されるように、転写ローラ３５Ｋ，３５Ｃ，３５Ｍ，３５Ｙは、転写ベルト３３を挟んで感光ドラム１３Ｋ，１３Ｃ，１３Ｍ，１３Ｙに対向して配置されている。感光ドラム１３Ｋ，１３Ｃ，１３Ｍ，１３Ｙの表面に形成されたトナー像は、転写ローラ３５Ｋ，３５Ｃ，３５Ｍ，３５Ｙによって、媒体搬送路（ここでは、転写ベルト３３の上面）に沿って搬送方向（矢印方向）に搬送される記録媒体Ｐの上面に順に転写される。画像形成部１０Ｋ，１０Ｃ，１０Ｍ，１０Ｙは、感光ドラム１３Ｋ，１３Ｃ，１３Ｍ，１３Ｙに残留したトナーを除去するクリーニング装置１９Ｋ，１９Ｃ，１９Ｍ，１９Ｙを備えている。
【００２３】
定着器４０は、互いに圧接し合う１対のローラ４１，４２を有する。ローラ４１は、加熱ヒータを内蔵するヒートローラである。ローラ４２は、ローラ４１に向けて押し付けられる加圧ローラである。未定着のトナー像を有する記録媒体Ｐは、定着器４０の１対のローラ４１，４２の間を通過する。このとき、未定着のトナー像は、加熱及び加圧されて記録媒体Ｐ上に定着される。
【００２４】
また、転写ベルト３３の下面側には、転写ベルト３３の表面に付着したトナーなどを除去するクリーニングブレード３４と、除去されたトナーなどを収容する廃棄トナー収容部（図示せず）が備えられている。
【００２５】
印刷時には、媒体トレイ２１内の記録媒体Ｐが、給紙ローラ２２によって繰り出され、ローラ対２３へ送られる。続いて、記録媒体Ｐは、ローラ対２３からガイド２４及びローラ対２５を介して、転写ベルト３３に送られる。記録媒体Ｐは、この転写ベルト３３の走行に伴って、画像形成部１０Ｋ，１０Ｃ，１０Ｍ，１０Ｙに搬送される。画像形成部１０Ｋ，１０Ｃ，１０Ｍ，１０Ｙにおいて、感光ドラム１３Ｋ，１３Ｃ，１３Ｍ，１３Ｙの表面は、帯電ローラ１４Ｋ，１４Ｃ，１４Ｍ，１４Ｙによって帯電され、露光ヘッド１１Ｋ，１１Ｃ，１１Ｍ，１１Ｙによって露光されて、静電潜像が形成される。静電潜像には、現像ローラ１６Ｋ，１６Ｃ，１６Ｍ，１６Ｙ上で薄層化されたトナーが静電的に付着されて、感光ドラム１３Ｋ，１３Ｃ，１３Ｍ，１３Ｙの表面上にトナー像が形成される。トナー像は、転写ローラ３５Ｋ，３５Ｃ，３５Ｍ，３５Ｙによって搬送方向に移動する記録媒体Ｐ上に転写される。その結果、記録媒体Ｐ上にカラーのトナー像が形成される。転写後に、感光ドラム１３Ｋ，１３Ｃ，１３Ｍ，１３Ｙ上に残留したトナーは、クリーニング装置１９Ｋ，１９Ｃ，１９Ｍ，１９Ｙによって除去される。カラーのトナー像が形成された記録媒体Ｐは、定着器４０に送られる。定着器４０において、カラーのトナー像は、記録媒体Ｐに定着され、カラー画像が形成される。カラー画像が形成された記録媒体Ｐは、ガイド２６に沿って搬送され、排紙ローラ対２７によってスタッカカバー５１上に排出される。
【００２６】
図２は、第１の実施形態に係る画像形成装置１００の制御系の構成を示すブロック図である。画像形成装置１００は、印刷制御部８４と、転写バイアス電源１３５と、帯電バイアス電源１１４と、現像バイアス電源１１６と、供給バイアス電源１１７と、ドラム駆動部１１３と、転写駆動部１３１と、定着駆動部１４０と、搬送駆動部１２０とを備えている。また、画像形成装置１００は、ヘッド駆動制御部８６を備えている。印刷制御部８４は、メモリなどの記憶部８４ａを備えている。記憶部８４ａは、印刷制御部８４の外部に備えられてもよい。記憶部８４ａには、後述される各種の設定温度である閾値（例えば、Ｔｚ，Ｔｙ，Ｔｘ，Ｔｗ，Ｔｖ）及び後述される設定時間（例えば、ｔｗ）などが保存されている。
【００２７】
印刷制御部８４は、コンピュータなどの上位装置から印刷命令及び印刷データを受け取り、画像形成装置１００の印刷動作を制御する。バイアス印加制御部８５は、転写バイアス電源１３５、帯電バイアス電源１１４、現像バイアス電源１１６、及び供給バイアス電源１１７によって出力されるバイアス電圧を制御する。転写バイアス電源１３５、帯電バイアス電源１１４、現像バイアス電源１１６、及び供給バイアス電源１１７から出力されるバイアス電圧は、転写ローラ３５、帯電ローラ１４、現像ローラ１６、及び供給ローラ１７にそれぞれ供給される。
【００２８】
ドラム駆動部１１３、転写駆動部１３１、及び搬送駆動部１２０の各々は、駆動力を発生するモータなどの駆動力発生部と、駆動力発生部で発生した駆動力を伝達するギヤなどの駆動力伝達部とを備えている。ドラム駆動部１１３、転写駆動部１３１、及び搬送駆動部１２０はそれぞれ、感光ドラム１３、駆動ローラ３１、記録媒体Ｐを搬送するためのローラ又はローラ対（例えば、ローラ対２３，２５，２７）などに駆動力を与えることによって、これらを回転させる。
【００２９】
ヘッド駆動制御部８６は、印刷制御部８４から提供された印刷データに基づいて、露光ヘッド１１の発光制御を行う。時間計測部８３は、印刷制御部８４からの計測開始命令を受けた時点からのタイマ値、すなわち経過時間ｔｅを計測し、印刷制御部８４に送信する。経過時間ｔｅの計測開始の時点は、内部温度検出部８１によって検出された装置内部温度Ｔｍｉが印刷停止状態の開始温度Ｔｙを検出した時点であってもよい。
【００３０】
なお、画像形成装置１００の構成は、図１に示されたものに限定されず、種々の変更が可能である。
【００３１】
《１−２》第１の実施形態の動作
（通常の印刷動作）
画像形成装置１００は、印刷制御部８４から印刷命令が出力されると、記録媒体Ｐを給紙ローラ２２、ローラ対２３、及びローラ対２５により転写ベルト３３まで搬送する。各画像形成部１０では、露光ヘッド１１により露光された感光ドラム１３上に静電潜像が形成される。感光ドラム１３上の静電潜像は、現像部１５によって現像される。現像によって感光ドラム１３上に形成されたトナー像は、感光ドラム１３の回転に従って転写ベルト３３に対向する位置に至り、転写ローラ３５によって記録媒体Ｐ上に転写される。トナー像を備えた記録媒体Ｐは、搬送方向に移動して定着器４０を通過する。定着器４０は、記録媒体Ｐ上にトナー像を定着させる。その後、記録媒体Ｐは、排紙ローラ対２７によりスタッカカバー５１上に排出される。
【００３２】
（装置内部温度Ｔｍｉが高いときの印刷動作）
印刷制御部８４は、内部温度検出部８１によって検出された検出値、すなわち、装置内部温度Ｔｍｉ［℃］に基づいて、印刷動作を制御する。表１は、装置内部温度Ｔｍｉ［℃］と、印刷制御部８４による制御内容との関係を示している。ただし、設定温度（開始温度又は解除温度）Ｔｙ，Ｔｚ，Ｔｘ，Ｔｗ，Ｔｖの値は、表１に示される値に限定されない。
【００３３】
【表１】
2020071334.tif 000003
【００３４】
印刷制御部８４は、内部温度検出部８１によって検出された装置内部温度Ｔｍｉが４２℃（すなわち、減速印刷状態の開始温度Ｔｗ）未満の場合、画像形成装置１００に通常の印刷速度による通常印刷を実行させる。つまり、装置内部温度Ｔｍｉが４２℃未満のときには、画像形成装置１００は、通常印刷を行う。通常印刷では、感光ドラム１３の回転線速度は、予め決められた通常印刷時の速度（例えば、１７８．５［ｍｍ／ｓ］）である。
【００３５】
印刷制御部８４は、装置内部温度Ｔｍｉが４２℃（すなわち、減速印刷状態の開始温度Ｔｗ）以上、４３℃未満の場合は、画像形成装置１００に、通常の印刷速度よりも遅い印刷速度による減速印刷を実行させる。つまり、装置内部温度Ｔｍｉが４２℃以上、４３℃未満のときには、画像形成装置１００は、減速印刷を行う。減速印刷では、感光ドラム１３の回転線速度は、予め決められた減速印刷時の速度（例えば、９５．２［ｍｍ／ｓ］）である。
【００３６】
印刷制御部８４は、装置内部温度Ｔｍｉが４３℃（すなわち、間欠印刷状態の開始温度Ｔｘ）以上、４４℃未満の場合は、画像形成装置１００に間欠印刷を実行させる。間欠印刷では、１枚の記録媒体Ｐに減速印刷をした後、印刷動作を一時停止して、所定の時間が経過したときに、次の記録媒体Ｐに減速印刷を行う動作を繰り返す。言い換えれば、間欠印刷では、減速印刷と印刷動作の一時停止とが交互に実行される。
【００３７】
印刷制御部８４は、装置内部温度Ｔｍｉが４４℃（すなわち、印刷停止状態の開始温度Ｔｙ）以上の場合は、画像形成装置１００による印刷動作を停止させて印刷停止状態にする。
【００３８】
印刷制御部８４は、印刷停止状態の解除温度Ｔｚを、４１℃に設定している。印刷制御部８４は、減速印刷状態の解除温度Ｔｖを、４１℃に設定している。
【００３９】
（印刷停止状態における動作）
画像形成装置１００は、装置内部温度Ｔｍｉが予め決められた印刷停止状態の開始温度（例えば、Ｔｙ＝４４℃）に達したときに印刷動作を実行しない印刷停止状態になる。また、印刷制御部８４は、装置内部温度Ｔｍｉが予め決められた印刷停止状態の開始温度Ｔｙ＝４４℃に達したときに印刷動作を停止して、装置内部温度Ｔｍｉが予め決められた印刷停止状態の解除温度Ｔｚ＝４１℃未満になると印刷停止状態を解除する。
【００４０】
しかし、トナーを収容している現像部１５の実際の温度が高いにもかかわらず印刷停止状態が解除されると、印字品質の低い印刷物が提供される。また、現像部１５の実際の温度が十分に低いにもかかわらず印刷停止状態が解除されない場合は、印刷物の提供が遅れる。
【００４１】
そこで、画像形成装置１００は、印刷停止後に、適切なタイミングで現像ローラ１６と感光ドラム１３と転写ベルト３３の空回し動作を行い、現像ローラ１６と感光ドラム１３との間で熱を移動させ、さらに各感光ドラム１３と転写ベルト３３との間で熱を移動させることによって、現像ローラ１６と感光ドラム１３と転写ベルト３３との温度を均一化する。空回し動作は、例えば、感光ドラム１３上にトナー像を形成せずに感光ドラム１３及び転写ベルト３３を回転させる動作である。空回し動作は、例えば、感光ドラム１３上にトナー像を形成せずに現像ローラ１６と感光ドラム１３と転写ベルト３３を回転させる動作であってもよい。空回し動作後に転写ベルト３３の温度検出を行えば、装置内部温度Ｔｍｉは、現像ローラ１６と感光ドラム１３の実際の温度に近い温度になる。この際、初回の空回し動作の実行開始タイミングは、内部温度検出部８１によって検出された装置内部温度Ｔｍｉと外気温度検出部８２によって検出された外気温度Ｔｍｅとに基づいて決定される。第１の実施形態においては、初回の空回し動作の実行開始タイミングは、装置内部温度Ｔｍｉから外気温度Ｔｍｅを減算して得られた温度差ΔＴｍｉｅ［℃］（＝Ｔｍｉ−Ｔｍｅ）に基づいて決定される。
【００４２】
表２は、画像形成装置１００における温度差ΔＴｍｉｅ［℃］（＝Ｔｍｉ−Ｔｍｅ）と、初回の空回し動作の実行開始タイミング及び２回目以降の空回し動作の実行開始タイミングと、の関係を示す。表２において、初回の空回し動作の開始までの設定時間ｔｗが異なる理由は、装置内部は、外気温度が低いほど、冷めるのが早いためである。つまり、外気温度Ｔｍｅが低く、ΔＴｍｉｅが大きいほど、装置内部の温度低下が速いので、初回の空回し動作の開始までの設定時間ｔｗが短くなっている。表２において、２回目以降の空回し動作の開始までの設定時間ｔｘが同じである理由は、２回目以降の空回し動作が実行される場合には、装置内部温度Ｔｍｉは印刷停止状態の解除温度Ｔｚに近い温度になっていると予想されるからである。ただし、設定時間ｔｗ及びｔｘの値は、表２に示される値に限定されない。
【００４３】
【表２】
2020071334.tif 000004
【００４４】
印刷制御部８４は、装置内部温度Ｔｍｉが印刷停止状態の開始温度Ｔｙ＝４４℃に達したときに印刷動作を停止させる。この状態を、印刷停止状態とも言う。印刷制御部８４は、印刷停止状態の開始時に、時間計測部８３のタイマ値、すなわち、経過時間ｔｅを０にリセットする。
【００４５】
印刷制御部８４は、装置内部温度Ｔｍｉと外気温度Ｔｍｅとの差ΔＴｍｉｅに対して、時間計測部８３の経過時間ｔｅが、表２に示す時間となった時点で、初回の空回し動作を実行する。空回し動作により、現像ローラ１６から感光ドラム１３に、さらに、感光ドラム１３から転写ベルト３３に熱を移動させて、現像ローラ１６と感光ドラム１３と転写ベルト３３との温度を均一化する。印刷制御部８４は、初回の空回し動作の際に、時間計測部８３のタイマ値、すなわち、経過時間ｔｅを０にリセットする。
【００４６】
印刷制御部８４は、初回の空回し動作の後に、装置内部温度Ｔｍｉが印刷停止状態の解除温度Ｔｚ（例えば、４１℃）未満であれば、印刷停止状態を解除する。印刷停止状態を解除時に印刷データがあれば、印刷制御部８４は、印刷動作を再開する。
【００４７】
また、印刷制御部８４は、装置内部温度Ｔｍｉが印刷停止状態の解除温度Ｔｚ（例えば、４１℃）以上であれば、時間計測部８３の経過時間ｔｅが所定の設定時間（例えば、５分）経過した時点で、２回目の空回し動作を実行し、再度、印刷停止状態の解除の可否を判定する。このような動作は、装置内部温度Ｔｍｉが印刷停止状態の解除温度Ｔｚ未満になるまで繰り返される。
【００４８】
印刷制御部８４は、転写ベルト３３が１回転以上するように、空回し動作を制御することが望ましい。
【００４９】
また、印刷制御部８４は、転写ベルト３３の表面の周方向の全域が、全ての感光ドラム１３に接触するよう、空回し動作を制御することが望ましい。
【００５０】
また、印刷制御部８４は、全ての感光ドラム１３の表面の周方向の全域が、転写ベルト３３と少なくとも１回は接触するように、空回し動作を制御することが望ましい。
【００５１】
（印刷停止状態における動作の詳細）
図３は、第１の実施形態に係る画像形成装置１００の印刷停止状態の開始（印刷停止状態の開始温度Ｔｙ［℃］に達したことによる印刷停止）後の動作を示すフローチャートである。
【００５２】
ステップＳ１において、印刷制御部８４は、時間計測部８３のタイマ値、すなわち、経過時間ｔｅを０にリセットする。
【００５３】
ステップＳ２において、印刷制御部８４は、装置内部温度Ｔｍｉから外気温度Ｔｍｅを減算して得られた温度差ΔＴｍｉｅが、所定の温度差である１２℃以下であるかどうかを判断する。印刷制御部８４は、温度差ΔＴｍｉｅが１２℃以下であれば、処理をステップＳ４に進め、温度差ΔＴｍｉｅが１２℃より高ければ、処理をステップＳ３に進める。
【００５４】
ステップＳ３において、印刷制御部８４は、温度差ΔＴｍｉｅが、所定の温度差である１６℃以下であるかどうかを判断する。印刷制御部８４は、温度差ΔＴｍｉｅが１６℃以下であれば、処理をステップＳ５に進め、温度差ΔＴｍｉｅが１６℃より高ければ、処理をステップＳ６に進める。
【００５５】
ステップＳ４において、印刷制御部８４は、装置内部温度Ｔｍｉが、印刷停止状態の解除温度Ｔｚ未満であるかどうかを判断する。印刷制御部８４は、装置内部温度Ｔｍｉが印刷停止状態の解除温度Ｔｚ以上であれば、処理をステップＳ７に進め、装置内部温度Ｔｍｉが印刷停止状態の解除温度Ｔｚ未満であれば、処理をステップＳ１４に進める。
【００５６】
ステップＳ５において、印刷制御部８４は、装置内部温度Ｔｍｉが、印刷停止状態の解除温度Ｔｚ未満であるかどうかを判断する。印刷制御部８４は、装置内部温度Ｔｍｉが印刷停止状態の解除温度Ｔｚ以上であれば、処理をステップＳ８に進め、装置内部温度Ｔｍｉが印刷停止状態の解除温度Ｔｚ未満であれば、処理をステップＳ１４に進める。
【００５７】
ステップＳ６において、印刷制御部８４は、装置内部温度Ｔｍｉが、印刷停止状態の解除温度Ｔｚ未満であるかどうかを判断する。印刷制御部８４は、装置内部温度Ｔｍｉが印刷停止状態の解除温度Ｔｚ以上であれば、処理をステップＳ９に進め、装置内部温度Ｔｍｉが印刷停止状態の解除温度Ｔｚ未満であれば、処理をステップＳ１４に進める。
【００５８】
ステップＳ７において、印刷制御部８４は、時間計測部８３が計測する経過時間ｔｅが所定の設定時間である１５分以上であるかどうかを判断する。印刷制御部８４は、経過時間ｔｅが１５分以上であれば、処理をステップＳ１０に進め、経過時間ｔｅが１５分未満であれば、処理をステップＳ４に戻す。
【００５９】
ステップＳ８において、印刷制御部８４は、時間計測部８３が計測する経過時間ｔｅが所定の設定時間である１０分以上であるかどうかを判断する。印刷制御部８４は、経過時間ｔｅが１０分以上であれば、処理をステップＳ１０に進め、経過時間ｔｅが１０分未満であれば、処理をステップＳ５に戻す。
【００６０】
ステップＳ９において、印刷制御部８４は、時間計測部８３が計測する経過時間ｔｅが所定の設定時間である５分以上であるかどうかを判断する。印刷制御部８４は、経過時間ｔｅが５分以上であれば、処理をステップＳ１０に進め、経過時間ｔｅが５分未満であれば、処理をステップＳ６に戻す。
【００６１】
ステップＳ１０において、印刷制御部８４は、初回の空回し動作を実行する。印刷制御部８４は、初回の空回し動作において、全ての現像ローラ１６と全ての感光ドラム１３と転写ベルト３３とを、回転させる。また、このとき、印刷制御部８４は、時間計測部８３のタイマ値、すなわち経過時間ｔｅを０にリセットする。印刷制御部８４は、初回の空回し動作後に、処理をステップＳ１１に進める。
【００６２】
ステップＳ１１において、印刷制御部８４は、装置内部温度Ｔｍｉが、印刷停止状態の解除温度Ｔｚ未満であるかどうかを判断する。印刷制御部８４は、装置内部温度Ｔｍｉが印刷停止状態の解除温度Ｔｚ未満であれば、処理をステップＳ１４に進め、装置内部温度Ｔｍｉが印刷停止状態の解除温度Ｔｚ以上であれば、処理をステップＳ１２に進める。
【００６３】
ステップＳ１２において、印刷制御部８４は、時間計測部８３が計測する経過時間ｔｅが所定の設定時間である５分以上であるかどうかを判断する。印刷制御部８４は、経過時間ｔｅが５分以上であれば、処理をステップＳ１３に進め、経過時間ｔｅが５分未満であれば、処理をステップＳ１１に戻す。
【００６４】
ステップＳ１３において、印刷制御部８４は、空回し動作、すなわち、２回目以降の空回し動作を実行する。印刷制御部８４は、２回目以降の空回し動作において、全ての現像ローラ１６と全ての感光ドラム１３と転写ベルト３３とを、回転させる。印刷制御部８４は、２回目以降の空回し動作後に、処理をステップＳ１１に戻す。
【００６５】
ステップＳ１１からステップＳ１４に処理が進むと、印刷制御部８４は、印刷停止状態を解除する。
【００６６】
（印刷停止状態の開始から解除までの動作例）
図４（ａ）は、従来の画像形成装置（比較例）における印刷停止後の装置内の温度分布の変化を示す説明図であり、図４（ｂ）及び（ｃ）は、第１の実施形態に係る画像形成装置１００における印刷停止後の装置内の温度分布の変化を示す説明図である。
【００６７】
図４（ａ）は、従来の画像形成装置において、外気温度Ｔｍｅが３２℃のときに、装置内部温度Ｔｍｉが印刷停止状態の開始温度であるＴｙ＝４４℃に達したときの状態を示す。経過時間ｔｅ＝０分のとき、全ての感光ドラム１３の温度は、例えば、４４℃である。
【００６８】
図４（ａ）における経過時間ｔｅ＝５分のときには、装置内部温度Ｔｍｉは４３℃（＞Ｔｚ＝４１℃）である。このとき、感光ドラム１３の温度は、定着器４０に近いものから順に、例えば、４３℃、４３℃、４２℃、４１℃である。このように、温度の違いが生じる理由は、発熱源である定着器４０に近い感光ドラム１３の温度低下が遅いからである。
【００６９】
図４（ａ）における経過時間ｔｅ＝１５分のときには、装置内部温度Ｔｍｉは４２℃（＞Ｔｚ＝４１℃）である。このとき、感光ドラム１３の温度は、定着器４０に近いものから順に、例えば、４２℃、４１℃、４１℃、４０℃である。
【００７０】
図４（ａ）における経過時間ｔｅ＝３０分のときには、装置内部温度Ｔｍｉは４１℃（＝Ｔｚ）である。このとき、感光ドラム１３の温度は、定着器４０に近いものから順に、例えば、４１℃、４０℃、３９℃、３８℃である。このように、従来の画像形成装置においては、全ての感光ドラム１３の温度が印刷停止状態の解除温度Ｔｚ未満になるまで、すなわち、経過時間ｔｅ＝３０分まで、印刷停止状態が解除されない。
【００７１】
図４（ｂ）は、第１の実施形態の画像形成装置１００において、外気温度Ｔｍｅが３２℃のときに、装置内部温度Ｔｍｉが印刷停止状態の開始温度であるＴｙ＝４４℃に達したときの状態を示す。経過時間ｔｅ＝０分のとき、全ての感光ドラム１３の温度は、例えば、４４℃である。
【００７２】
図３におけるステップＳ１，Ｓ２，Ｓ４，Ｓ７の処理が実行され、図４（ｂ）における経過時間ｔｅ＝５分のときには、装置内部温度Ｔｍｉは４３℃（＞Ｔｚ＝４１℃）である。このとき、感光ドラム１３の温度は、定着器４０に近いものから順に、例えば、４３℃、４３℃、４２℃、４１℃である。このように、温度の違いが生じる理由は、発熱源である定着器４０に近い感光ドラム１３の温度低下が遅いからである。また、図１に示される筐体５０の外壁部（側壁）５２に近い感光ドラム１３は、外気に近いので、温度低下が速いからである。
【００７３】
図３におけるステップＳ４，Ｓ７の処理が実行され、図４（ｂ）における経過時間ｔｅ＝１５分のときには、装置内部温度Ｔｍｉは４２℃（＞Ｔｚ＝４１℃）である。このとき、感光ドラム１３の温度は、定着器４０に近いものから順に、例えば、４２℃、４１℃、４１℃、４０℃である。
【００７４】
図３におけるステップＳ１０−Ｓ１４の空回し動作が実行され、図４（ｂ）における経過時間ｔｅ＝１５分以降のときには、装置内部温度Ｔｍｉは４１℃（＝Ｔｚ）である。このとき、感光ドラム１３の温度は、定着器４０に近いものから順に、例えば、４１℃、４１℃、４１℃、４１℃である。このように、第１の実施形態に係る画像形成装置１００においては、空回し動作によって感光ドラム１３の温度と転写ベルト３３の温度とが均一化され、その結果現像ローラ１６の温度も感光ドラム１３の温度と同様になるので、経過時間ｔｅ＝１５分を過ぎたときに、印刷停止状態が解除される。このように、従来の画像形成装置よりも１５分程度、印刷開始までの時間を短縮できる。つまり、印字品質を低下させずに、スループットを向上させることができる。
【００７５】
図４（ｃ）は、第１の実施形態の画像形成装置１００において、外気温度Ｔｍｅが２３℃のときに、装置内部温度Ｔｍｉが印刷停止状態の開始温度であるＴｙ＝４４℃に達したときの状態を示す。経過時間ｔｅ＝０分のとき、全ての感光ドラム１３の温度は、例えば、４４℃である。
【００７６】
図３におけるステップＳ１−Ｓ３，Ｓ６，Ｓ９の処理が実行され、図４（ｃ）における経過時間ｔｅ＝５分のときには、装置内部温度Ｔｍｉは４２℃（＞Ｔｚ＝４１℃）である。このとき、感光ドラム１３の温度は、定着器４０に近いものから順に、例えば、４２℃、４１℃、４１℃、４０℃である。感光ドラム１３の温度が、図４（ｂ）のものより低い理由は、外気温度が低いからである。
【００７７】
図３におけるステップＳ１０−Ｓ１４の空回し動作が実行され、図４（ｃ）における経過時間ｔｅ＝５分以降のときには、装置内部温度Ｔｍｉは４１℃（＝Ｔｚ）である。このとき、感光ドラム１３の温度は、定着器４０に近いものから順に、例えば、４１℃、４１℃、４１℃、４１℃である。このように、第１の実施形態に係る画像形成装置１００においては、空回し動作によって感光ドラム１３の温度と転写ベルト３３の温度とが均一化され、その結果、各現像ローラ１６の温度も感光ドラム１３の温度と同様になるので、経過時間ｔｅ＝５分を過ぎたときに、印刷停止状態が解除される。つまり、印字品質を低下させずに、スループットを向上させることができる。
【００７８】
図５は、従来の画像形成装置及び第１の実施形態に係る画像形成装置１００における印刷停止後の装置内部温度Ｔｍｉの変化を示すグラフである。図５に示されるように、第１の実施形態に係る画像形成装置１００によれば、外気温度Ｔｍｅ＝２３℃の場合は、印刷停止状態の開始からの印刷停止状態の解除までの時間が５分である。外気温度Ｔｍｅ＝２３℃の場合は、従来の画像形成装置における印刷停止状態の開始からの印刷停止状態の解除までの時間である１３分である。このように、第１の実施形態に係る画像形成装置１００によれば、印字品質の低下を生じさせずに、約８分、印刷停止状態の解除を早めることができる。
【００７９】
また、図５に示されるように、第１の実施形態に係る画像形成装置１００によれば、外気温度Ｔｍｅ＝３２℃の場合は、印刷停止状態の開始からの印刷停止状態の解除までの時間が１５分である。外気温度Ｔｍｅ＝３２℃の場合は、従来の画像形成装置における印刷停止状態の開始からの印刷停止状態の解除までの時間である３０分である。このように、第１の実施形態に係る画像形成装置１００によれば、印字品質の低下を生じさせずに、約１５分、印刷停止状態の解除を早めることができる。
【００８０】
《１−３》第１の実施形態の効果
以上に説明したように、第１の実施形態に係る画像形成装置１００では、転写ベルト３３を空回し動作させて、各現像ローラ１６、各感光ドラム１３、及び転写ベルト３３の温度を均一化している。このように、各現像ローラ１６、各感光ドラム１３、及び転写ベルト３３の温度を均一にした後に、装置内部温度Ｔｍｉを検出することで、本来温度制御したい感光ドラム１３及び現像ローラ１６の実際の温度を精度良く検出することができる。したがって、適切なタイミングで印刷停止状態が解除され、従来よりも早いタイミングで印刷が再開され、ユーザにとっては、印刷物の取得が早まる利点がある。
【００８１】
また、初回の空回し動作の時間は、装置内部温度Ｔｍｉと外気温度Ｔｍｅとに基づいて決定されるので、長すぎる空回し動作を行わないことができる。したがって、空回し動作による感光ドラム１３の磨耗、現像部１５の内部における自己発熱、などを抑制することができる。
【００８２】
《２》第２の実施形態
図６は、第２の実施形態に係る画像形成装置の印刷停止（印刷停止状態の開始温度Ｔｙ［℃］に達したことによる印刷停止）後の動作を示すフローチャートである。図６において、図３に示される処理ステップと同じ処理ステップには、図３に示されるステップ番号と同じステップ番号が付される。
【００８３】
図７は、第２の実施形態に係る画像形成装置が使用する設定時間情報であるテーブルの例を示す図である。テーブルは、予め行った実験の結果などに基づいて取得され、予め記憶部２４ａに記憶されている。第２の実施形態に係る画像形成装置は、印刷停止後に、図７に示されるテーブルを用いて、装置内部温度Ｔｍｉと外気温度Ｔｍｅとに基づいて、初回の空回し動作の開始までの設定時間ｔｗ［分］を決定する点が、温度差ΔＴｍｉｅに基づいて設定時間ｔｗ［分］を決定する（すなわち、図３のステップＳ２〜Ｓ９の処理で決定する）第１の実施形態に係る画像形成装置１００と相違する。なお、図７において、装置内部温度Ｔｍｉの範囲、外気温度Ｔｍｅの範囲、設定時間ｔｗの値は、図７に示される値に限定されない。
【００８４】
初回の空回し動作の開始までの設定時間ｔｗ［分］を決定する処理以外の点に関しては、第２の実施形態に係る画像形成装置は、第１の実施形態に係る画像形成装置１００と同じである。したがって、第２の実施形態の説明に際しては、第１の実施形態を示す図１及び図２をも参照する。
【００８５】
図６に示されるように、第２の実施形態に係る画像形成装置では、ステップＳ２１において、印刷制御部８４は、図７のテーブルを用いて、装置内部温度Ｔｍｉと外気温度Ｔｍｅとに基づいて、初回の空回し動作の開始までの設定時間ｔｗ［分］を決定し、処理をステップＳ２２に進める。
【００８６】
ステップＳ２２において、印刷制御部８４は、装置内部温度Ｔｍｉが、印刷停止状態の解除温度Ｔｚ未満であるかどうかを判断する。印刷制御部８４は、装置内部温度Ｔｍｉが印刷停止状態の解除温度Ｔｚ未満であれば、処理をステップＳ２３に進め、装置内部温度Ｔｍｉが印刷停止状態の解除温度Ｔｚ以上であれば、処理をステップＳ１４に進める。
【００８７】
ステップＳ２３において、印刷制御部８４は、時間計測部８３が計測する経過時間ｔｅが設定時間ｔｗ［分］以上であるかどうかを判断する。印刷制御部８４は、経過時間ｔｅがｔｗ［分］以上であれば、処理をステップＳ１０に進め、経過時間ｔｅがｔｗ［分］未満であれば、処理をステップＳ２２に戻す。
【００８８】
図６における他のステップの処理は、図３における対応するステップの処理と同じである。
【００８９】
以上に説明したように、第２の実施形態に係る画像形成装置では、転写ベルト３３を空回し動作させて、各現像ローラ１６、各感光ドラム１３、及び転写ベルト３３の温度を均一化している。このように、各現像ローラ１６、各感光ドラム１３、及び転写ベルト３３の温度を均一にした後に、装置内部温度Ｔｍｉを検出することで、本来温度制御したい感光ドラム１３及び現像ローラ１６の実際の温度を精度良く検出することができる。したがって、適切なタイミングで印刷停止状態が解除され、従来よりも早いタイミングで印刷が再開され、ユーザにとっては、印刷物の取得が早まる利点がある。
【００９０】
また、初回の空回し動作の時間は、装置内部温度Ｔｍｉと外気温度Ｔｍｅとに基づいて決定されるので、長すぎる空回し動作を行わないことができる。したがって、空回し動作による感光ドラム１３の磨耗、現像部１５の内部における自己発熱、などを抑制することができる。
【００９１】
《３》利用形態の説明
第１及び第２の実施形態に係る画像形成装置は、電子写真プリンタであるが、これらは、複写機、ファクシミリ、ＭＦＰ（多機能周辺機器）のいずれかであってもよい。
【符号の説明】
【００９２】
１０，１０Ｋ，１０Ｃ，１０Ｍ，１０Ｙ  画像形成部、  １１，１１Ｋ，１１Ｃ，１１Ｍ，１１Ｙ  露光ヘッド、  １３，１３Ｋ，１３Ｃ，１３Ｍ，１３Ｙ  感光ドラム（像担持体）、  １５，１５Ｋ，１５Ｃ，１５Ｍ，１５Ｙ  現像部（現像器）、  １６，１６Ｋ，１６Ｃ，１６Ｍ，１６Ｙ  現像ローラ、  ２０  媒体供給部、  ３０  転写部、  ３３  転写ベルト、  ３５，３５Ｋ，３５Ｃ，３５Ｍ，３５Ｙ  転写ローラ、  ４０  定着器、  ５０  筐体、  ５２  外壁部、  ８１  内部温度検出部（第１の検出部）、  ８２  外気温度検出部（第２の検出部）、  １００  画像形成装置、  Ｐ  記録媒体、  Ｔｍｉ  装置内部温度、  Ｔｍｅ  外気温度、  Ｔｙ  印刷停止状態の開始温度（閾値）、  Ｔｚ  印刷停止状態の解除温度（閾値）、  ｔｅ  経過時間、  ｔｗ  設定時間。
【図１】
2020071334.tif 000005
【図２】
2020071334.tif 000006
【図３】
2020071334.tif 000007
【図４】
2020071334.tif 000008
【図５】
2020071334.tif 000009
【図６】
2020071334.tif 000010
【図７】
2020071334.tif 000011